(57)【要約】【課題】マットの端材を利用したモップを提供する。【解決手段】清掃具におけるモップ保持具５に対して着脱自在なモップ１であって、基布１３の表面の全面に清掃糸１５を備えた四角形状の払拭布の裏面の離れた２箇所に、テープ状の補強部材１７Ａ，１７Ｂを互いに平行に取付け、この補強部材１７Ａ，１７Ｂの内側縁１９Ａ，１９Ｂを折曲げ線として前記払拭布の両側縁２１Ｂ，２１Ｃを裏面側へ折り畳んで前記両補強部材１７Ａ，１７Ｂの上部側が互いに近接する形態に傾斜して設け、前記両補強部材１７Ａ，１７Ｂの前記傾斜を保持するために、前記払拭布の各角部付近を、前記両補強部材１７Ａ，１７Ｂの間において前記払拭布の裏面に固定した構成であり、前記清掃糸１５は編跡が糸に残って屈曲した糸であって縮れた状態にある。【選択図】図１
2010088790.tif 000002
【特許請求の範囲】
【請求項１】
清掃具におけるモップ保持具に対して着脱自在なモップであって、基布の表面の全面に清掃糸を備えた四角形状の払拭布の裏面の離れた２箇所に、テープ状の補強部材を互いに平行に取付け、この補強部材の内側縁を折曲げ線として前記払拭布の両側縁を裏面側へ折り畳んで前記両補強部材の上部側を互いに近接する形態に傾斜して設け、前記両補強部材の前記傾斜を保持するために、前記払拭布の各角部付近を、前記両補強部材の間において前記払拭布の裏面に固定した構成であることを特徴とするモップ。
【請求項２】
請求項１に記載のモップにおいて、前記清掃糸は編跡が糸に残って屈曲した糸であって縮れた状態にあることを特徴とするモップ。
【発明の詳細な説明】
【技術分野】
【０００１】
本発明は、例えば床等の清掃を行うための清掃具におけるモップ保持具に対して着脱自在なモップに係り、さらに詳細には、前記モップ保持具の外形寸法が多少異なる寸法であっても、それぞれのモップ保持具に適用することのできるモップに関する。
【背景技術】
【０００２】
例えば床等の清掃を行うための清掃具におけるモップ保持具に対してモップを着脱交換自在な構成としては、特許文献１，２，３などに記載の構成が知られている。
【特許文献１】特開平９−３２７４２７号公報
【特許文献２】特開２００５−１１３３４７号公報
【特許文献３】特開２００５−１０３１９６号公報
【発明の開示】
【発明が解決しようとする課題】
【０００３】
前記特許文献１に記載の構成は、清掃具において柄の先端部に揺動自在に備えた直方体のモップ保持具の上面に突起を備え、この突起に対してモップに備えたスリットを係止，離脱することにより、前記モップ保持具に対してモップを着脱する構成である。したがって、モップ保持具とモップは互に対をなす関係にあり、汎用性が少ないという問題がある。
【０００４】
前記特許文献２に記載の構成は、清掃具におけるモップ保持具の上面に、モップを挟持するための複数のクリップを備えている。この構成においては、モップ保持具の上面からクリップが大きく突出した形態となり、例えば机などの下を清掃する場合に邪魔になり易いと共に、クリップによる挟み込みが弱くなるとモップが脱落し易くなるという問題がある。
【０００５】
また、特許文献２には、モップ保持部の上面の４箇所に、係止片を備えた穴を備え、この穴内にモップの一部を挿入することにより、係止片によってモップを固定する構成が記載されている。この構成においては、前記穴内へモップの一部を挿入できるように、モップが薄く柔軟であることが必要であり、モップが比較的厚い場合や、比較的硬い剛体を呈する場合には実施困難である。
【０００６】
前記特許文献３に記載の構成は、モップ保持具の上面に複数のクリップを備えた構成及びモップ保持具とモップとに、互いに一体化することのできる面ファスナを備えた構成である。複数のクリップをモップ保持具の上面に備えた構成においては、前述した特許文献２に記載の清掃具と同様の問題を有する。また、モップ保持具とモップに面ファスナを備えた構成においては、モップ保持具とモップとが互に対をなす関係となり、汎用性に欠けるという問題がある。
【０００７】
ところで、例えば床の上に敷く敷物としてマットがある。マットにおいて、別個のマットに、例えば文字はめ込みなどを行うための必要な文字などを切り取ると、比較的広い面積を有する端材が発生する。そして、マットの原反には、ニット・デ・ニットで作成したパイルがあり、このパイルは編跡が糸に残って屈曲し縮れた状態になっており、除塵効果が大きなものである。したがって、ニット・デ・ニットで作成したパイルを備えたマットの端材を利用してモップを作成すると、端材の有効利用になることを見出した。
【０００８】
しかし、マットの端材を、現在市販されている一般的な清掃具におけるモップ保持具に適用しようとすると、直方体のモップ保持具の外形寸法は一定ではなく、種々の寸法がある。例えば代表的寸法を例示すると、直方体のモップ保持具の外形寸法は次のとおりである。
【表１】
2010088790.tif 000003
【０００９】
上記各種寸法のモップ保持具Ａ，Ｂ，Ｃ，Ｄの各々に対応してモップのサイズを合せて製造することは、加工面、在庫管理面から望ましいものではない。
【００１０】
したがって、上記各種サイズのモップ保持具Ａ，Ｂ，Ｃ，Ｄに共通に使用することのモップであることが望ましいものである。
【課題を解決するための手段】
【００１１】
本発明は、前述のごとき問題に鑑みてなされたもので、清掃具におけるモップ保持具に対して着脱自在なモップであって、基布の表面の全面に清掃糸を備えた四角形状の払拭布の裏面の離れた２箇所に、テープ状の補強部材を互いに平行に取付け、この補強部材の内側縁を折曲げ線として前記払拭布の両側縁を裏面側へ折り畳んで前記両補強部材の上部側を互いに近接する形態に傾斜して設け、前記両補強部材の前記傾斜を保持するために、前記払拭布の各角部付近を、前記両補強部材の間において前記払拭布の裏面に固定した構成であることを特徴とするものである。
【００１２】
また、前記モップにおいて、前記清掃糸は編跡が糸に残って屈曲した糸であって縮れた状態にあることを特徴とするものである。
【発明の効果】
【００１３】
本発明によれば、清掃具におけるモップ保持具に対してモップを装着したとき、モップに備えた一対の補強部材の上部側が互いに近接する形態に傾斜してあることにより、モップ保持具における長辺の両側縁を挟み込む態様となり、対象とする各種寸法のモップ保持具に対応し得るものである。
【発明を実施するための最良の形態】
【００１４】
図１，図２を参照するに、本発明の実施形態に係るモップ１は、従来の一般的な清掃具３におけるモップ保持具５に対して着脱自在である。先ず理解を容易にするために、清掃具３の構成について簡単に説明する。
【００１５】
例えば床などの清掃を行うための清掃具３は、既に知られているように、清掃作業者が把持するための棒状の柄７を備えており、この柄７の先端部には、自在継手９を介して前記モップ保持具５の上面中央部が揺動自在に連結されている。上記モップ保持具５の外観はほぼ直方体に形成してあり、このモップ保持具５の下面には、例えばゴムなどのごとき弾性部材１１が備えられている。この弾性部材１１の底面は、床などに面接触可能な平面に形成してあり、この弾性部材１１の外周部はほぼ４角形状であって、ほぼ直方体状の前記モップ保持具５の４角形状の周囲下部を全周に亘って覆っている。
【００１６】
前記モップ１は、図３に示すように、基布１３の表面の全面に清掃糸１５を備えた払拭布からなるものである。この払拭布は、マットの原反又は端材からなるものである。前記清掃糸１５は、既に知られているように、ニット・デ・ニットで作成したパイルであって、編跡が糸に残って屈曲した糸であり、縮れた状態にある。なお、清掃糸１５が縮れた状態であることは、図においては省略してある。前記基布１３の裏面には適宜の接着剤（ラテックス）が塗布してあって、前記清掃糸（パイル）１５が抜け落ちることを防止している。また、基布１３の周縁は、崩れることのないように縫製してある。
【００１７】
そして、前記モップ保持具５に対してモップ１を着脱するために、モップ１は次のように構成してある。すなわち、図３に示すように、４角形の前記基布１３の裏面には、互いに平行な一対の補強部材１７Ａ，１７Ｂが一体的に固定してある。この補強部材１７Ａ，１７Ｂは、例えばナイロン、エステル、ポリプロピレンなどの適宜の繊維からなる繊維テープであり、当該補強部材１７Ａ，１７Ｂの幅寸法は、モップ１を着脱する対象としての前記モップ保持具５の高さ寸法よりは大きな寸法である。なお、両補強部材１７Ａ，１７Ｂの間隔寸法（両補強部材１７Ａ，１７Ｂの互いに対向した内側の辺の間隔）は、前記モップ保持具５の幅寸法（短辺の寸法）に対応した寸法であって、市販されている一般的な清掃具においてもモップ１を着脱する対象としてのモップ保持具の小さな寸法にほぼ合せてある。
【００１８】
前記補強部材１７Ａ，１７Ｂを基布１３の裏面に固定したことにより、基布１３の裏面は大きな面積の中央部領域１３Ａと、この中央部領域１３Ａの約１／２の面積の前後のサイド領域１３Ｂ，１３Ｃとに区画されている。そして、前記補強部材１７Ａ，１７Ｂの互いに対向した内側縁１９Ａ，１９Ｂの部分又はその付近を折曲げ線として、前記両サイド領域１３Ｂ，１３Ｃにおける端縁部２１Ｂ，２１Ｃ（符号２１Ａはなし）を、前記中央部領域１３Ａの裏面に当接するように折曲げる。
【００１９】
上述のように、両サイド領域１３Ｂ，１３Ｃを折曲げた後、前記両サイド領域１３Ｂ，１３Ｃにおける角部付近の固定部２３（図１参照）を、適宜手段によって中央部領域１３Ａに一体的に固定する。このように、両サイド領域１３Ｂ，１３Ｃの角部付近を中央部領域１３Ａに一体的に固定した状態においては、中央部領域１３Ａの裏面の一部と両サイド領域１３Ｂ，１３Ｃの裏面の一部（固定部２３付近）は互に密着した状態にある。そして、前記両補強部材１７Ａ，１７Ｂは、図２に示すように、両補強部材１７Ａ，１７Ｂの上部側が互いに近接する形態に傾斜した状態に保持されている。
【００２０】
換言すれば、両サイド領域１３Ｂ，１３Ｃの各角部又は各角度付近を中央部領域１３Ａに固定することにより、前記両補強部材１７Ａ，１７Ｂは、前記中央部領域１３Ａと鋭角をなすように傾斜した状態に保持される。また、基布１３の両補強部材１７Ａ，１７Ｂの両端部付近は固定されることなく、変形の自由度が大きく保持されている。そして、前記両サイド領域１３Ｂ，１３Ｃの各角部付近を中央部領域１３Ａに固定した状態においては、前記両サイド領域１３Ｂ，１３Ｃの端縁部２１Ｂ，２１Ｃは互いに接近した状態にある。すなわち、モップ１は、基布１３における中央部領域１３Ａの裏面と両サイド領域１３Ｂ，１３Ｃの裏面とを合せた状態の袋状に構成してある。
【００２１】
以上のごとき構成のモップ１を、清掃具３におけるモップ保持具５に装着するには、前記両サイド領域１３Ｂ，１３Ｃの端縁部２１Ｂ，２１Ｃの間からモップ保持具５を袋状のモップ１内に挿入する。上述のように、モップ１内にモップ保持具５を挿入すると、両サイド領域１３Ｂ，１３Ｃにおける角部付近が固定部２３において中央部領域１３Ａに固定されているので、前記モップ保持具５の長手方向の両端部は、前記中央部領域１３Ａの裏面と両サイド領域１３Ｂ，１３Ｃの裏面との間に挟み込まれた状態にあり、モップ１に対して相対的に長手方向へ移動不可能な状態に規制される。
【００２２】
そして、前述したように、モップ１内にモップ保持具５を挿入した状態においては、モップ保持具５に備えた弾性部材１１の長手方向に対して直交する幅方向（図２において左右方向）の両側縁１１Ａ，１１Ｂが傾斜した状態の補強部材１７Ａ，１７Ｂに当接し、両補強部材１７Ａ，１７Ｂの間隔を広げるように作用する。この際、両サイド領域１３Ｂ，１３Ｃの角部付近が固定部２３によって中央部領域１３Ａに固定してあることにより、前記両補強部材１７Ａ，１７Ｂの長手方向の中央部付近は互いに離れる方向に僅かに移動する傾向にあるが、両補強部材１７Ａ，１７Ｂの両端部付近は定位置に保持されるものである。
【００２３】
すなわち、清掃具３におけるモップ保持具５に対してモップ１を装着したとき、モップ保持具５とモップ１との間に幅方向の緩みのない状態に装着されるものである。したがって、清掃具３によって床などの清掃を容易に行うことができるものである。
【００２４】
ところで、モップ保持具５の外形寸法には種々の寸法があるので、前記モップ１の長手方向の寸法は、モップ１を着脱する対象としてのモップ保持具５の長手方向が最大のものに対応する寸法に構成してある。そして、モップ１の幅方向の寸法は、モップ１を着脱する対象としてのモップ保持具５の幅方向の寸法が最小のものに対応する寸法に構成してある。したがって、幅方向の寸法がより大きなモップ保持具５に対してモップ１を装着したときには、前記両補強部材１７Ａ，１７Ｂの上部側が互いに離れるように移動されることによって対応し得るものである。
【００２５】
以上のごとき説明より理解されるように、マットの原反そのもの、又は端材を利用したモップ１においては、基布１３の裏面に、モップ保持具５における幅方向の両側縁１１Ａ，１１Ｂを、基布１３における中央部領域１３Ａに対して鋭角に傾斜した状態に保持するために、基布１３における両サイド領域１３Ｂ，１３Ｃの各角部付近の４箇所を、前記中央部領域１３Ａに固定してあるので、モップ１を清掃具３におけるモップ保持具５に装着するとき、外形寸法が多少異なる複数種のモップ保持具に対応し得るものである。
【００２６】
そして、モップ保持具５に対してモップ１を装着した状態においては、モップ保持具５の幅方向に緩みのない状態、すなわちモップ保持具５に対してモップ保持具５の幅方向にモップ１が相対的に移動することのない状態に装着されるので、前記モップ１をモップ保持具５に装着した清掃具３においての清掃に問題を生じるようなことがないものである。
【００２７】
なお、前記モップ１は床の清掃に限ることなく、例えば網戸の清掃などにも使用可能である。
【図面の簡単な説明】
【００２８】
【図１】本発明の実施形態に係るモップを装着した清掃具の主要部の傾斜説明図である。
【図２】図１における矢印Ａ−Ａに沿っての断面説明図である。
【図３】マットの原反（端材）をモップに形成する前の状態を示す説明図である。
【符号の説明】
【００２９】
１    モップ
３    清掃具
５    モップ保持具
１１    弾性部材
１１Ａ，１１Ｂ    側縁
１３    基布
１３Ａ    中央部領域
１３Ｂ，１３Ｃ    サイド領域
１５    清掃糸
１７Ａ，１７Ｂ    補強部材
１９Ａ，１９Ｂ    内側縁
２１Ｂ，２１Ｃ    端縁部
２３    固定部
【図１】
2010088790.tif 000004
【図２】
2010088790.tif 000005
【図３】
2010088790.tif 000006